(57)【要約】    【課題】特定の居室親機を呼び出す場合や特定の居室親機から呼び出しを受けた場合に当該居室親機を容易に把握でき、また、住居人が留守の場合に管理室親機で代理応答することができるようにする。    【解決手段】本発明の集合住宅インターホンシステムは、集合住宅の管理室に設置され居室親機３と呼出、通話を行なう管理室親機４と、集合玄関機１、居室親機３、管理室親機４を制御する制御機２とを備えている。  制御機２には、居室の部屋番号、代表住居人名等の住居人情報が記憶されるメモリ２１を備え、管理室親機４は、住居人情報を居室単位で表示するディスプレイ４１と、管理人が呼び出したい住居人情報を選択操作するタッチパネル４２とを備え、制御機２は、管理室親機４でハンドセットアップ等の所定の操作を行なうことにより選択操作を行なった居室親機を呼び出すＣＰＵ２２を備える。    【選択図】図１
2006101328.tif 000002
【特許請求の範囲】
【請求項１】
集合住宅の集合玄関に設置される集合玄関機（１）と、前記集合住宅の居室に設置され前記集合玄関機からの呼出に応答して通話を行なう居室親機（３）と、前記集合住宅の管理室に設置され前記居室親機と呼出、通話を行なう管理室親機（４）と、前記集合玄関機、前記居室親機、前記管理室親機を制御する制御機（２）とを備え、
前記制御機には、前記居室の部屋番号、代表住居人名等の住居人情報が記憶されるメモリ（２１）を備え、
前記管理室親機は、前記住居人情報を居室単位で表示するディスプレイ（４１）と、管理人が呼び出したい住居人情報を選択操作するタッチパネル（４２）とを備え、
前記制御機は、前記管理室親機でハンドセットアップ等の所定の操作を行なうことにより前記選択操作を行なった居室親機を呼び出すＣＰＵ（２２）を備えたことを特徴とする集合住宅インターホンシステム。
【請求項２】
前記管理室親機は、タッチパネルによる選択操作を行なった場合または前記居室親機から呼び出された場合に、前記選択操作を行なった居室親機または呼出操作が行なわれた居室親機の住居人情報を色表示、点滅表示、ポップアップ表示等により前記ディスプレイ上に識別可能に表示することを特徴とする請求項１記載の集合住宅インターホンシステム。
【請求項３】
前記住居人情報は、集合住宅のレイアウトにしたがって表示されることを特徴とする請求項１または請求項２記載の集合住宅インターホンシステム。
【請求項４】
前記管理室親機は、タッチパネルによる選択操作を行なった場合または前記居室親機から呼び出された場合に、さらに詳細表示操作を行なうことにより前記居室親機にて予め入力された緊急連絡先等の詳細情報を表示させることを特徴とする請求項１乃至請求項３何れか１項記載の集合住宅インターホンシステム。
【請求項５】
前記居室親機にて外出情報が入力された場合または施錠等の外出操作がされた場合に、外出期間中は前記ディスプレイ上で表示されている前記住居人情報に追加表示されることを特徴とする請求項４記載の集合住宅インターホンシステム。
【請求項６】
前記詳細情報が入力された場合に、前記ディスプレイ上で表示されている前記住居人情報に詳細情報がある旨を視認させる追加表示がなされることを特徴とする請求項４または請求項５記載の集合住宅インターホンシステム。
【請求項７】
前記制御機は、前記外出情報が入力された場合または施錠等の外出操作がされた場合に、前記集合玄関機からの呼出を検出することで外出していると判断し、前記管理室親機若しくは予め定められた１つの居室親機に呼出を転送する制御を行なうことを特徴とする請求項４乃至請求項６何れか１項記載の集合住宅インターホンシステム。
【請求項８】
前記管理室親機は、前記転送呼出の場合に、呼出先の住居人情報を表示するとともに、前記集合玄関機からの呼出転送である旨を表示することを特徴とする請求項７記載の集合住宅インターホンシステム。
【請求項９】
前記居室親機には、火災センサ等のセキュリティセンサ（５）が接続され、
前記セキュリティセンサが異常を検出したときには、前記居室親機から前記管理室親機に移報出力され、
前記管理室親機は、前記居室親機のセキュリティセンサが異常を検出したことを前記住居人情報とあわせて表示することを特徴とする請求項１乃至請求項８何れか１項記載の集合住宅インターホンシステム。
【請求項１０】
各棟の集合住宅の集合玄関に設置される集合玄関機（１）と、前記集合住宅の居室に設置され前記集合玄関機からの呼出に応答して通話を行なう居室親機（３）と、前記集合玄関機、前記居室親機を制御する制御機（２）と、前記制御機に接続され各棟の前記集合玄関機、前記居室親機、前記制御機を制御する集中制御機（７）と、前記集中制御機に接続される集中管理室親機（８）とを備え、
前記集中管理室親機は、全住戸の住居人情報を各棟毎に表示するディスプレイ（８１）を備えることを特徴とする集合住宅インターホンシステム。
【請求項１１】
前記居室親機で前記外出情報が入力された場合または施錠等の外出操作がされた場合に、前記集中制御機は、前記集合玄関機からの呼出を検出することで外出していると判断し、前記集中管理室親機若しくは予め定められた１つの居室親機に呼び出しを転送する制御を行なうことを特徴とする請求項１０記載の集合住宅インターホンシステム。
【請求項１２】
前記集中管理室親機は、前記転送呼出の場合に、呼出先の住居人情報を表示するとともに、前記集合玄関機からの呼出転送である旨を表示することを特徴とする請求項１０または請求項１１記載の集合住宅インターホンシステム。
【請求項１３】
非常階段、屋上入り口等の所定場所に人感センサ（９）を備え、前記人感センサが感知したときに、前記管理室親機または前記集中管理室親機に表示される集合住宅のレイアウトで感知した場所を視認可能に表示することを特徴とする請求項３乃至請求項１２何れか１項記載の集合住宅インターホンシステム。
【請求項１４】
非常階段、屋上入り口等の所定場所に監視カメラ（１０）を備え、前記人感センサが感知したとき、または前記集合住宅のレイアウトのうち前記監視カメラが備えられた設置場所をタッチ操作することで前記監視カメラの映像が表示されることを特徴とする請求項３乃至請求項１３何れか１項記載の集合住宅インターホンシステム。
【発明の詳細な説明】
【技術分野】
【０００１】
本発明は、集合住宅インターホンシステムに係わり、特に、管理室親機等のディスプレイに住居人情報、詳細情報および外出情報等を表示させることができる集合住宅インターホンシステムに関する。
【背景技術】
【０００２】
従来から、この種の集合住宅インターホンシステムとして、集合玄関機、複数の居室機（居室親機）および管理室親機をそれぞれ制御機の制御機通信回路を介して制御機制御回路に接続し、制御機制御回路の制御による制御機クロスポイントスイッチの交換接続によって集合玄関機、複数の居室機（居室親機）と管理室親機との間で通話ができる集合住宅用インターホン装置において、制御機制御回路および制御機クロスポイントスイッチにそれぞれ接続されたデータ変換回路およびインターフェース通話回路を有するインターフェース回路と、データ変換回路に接続された主装置制御回路、インターフェース通話回路に接続され主装置制御回路により制御される主装置クロスポイントスイッチおよび主装置クロスポイントスイッチに接続され主装置制御回路により制御される主装置無線通信回路を有するマルチエリア主装置と、主装置無線通信回路と無線により接続される移動管理室親機無線通信回路を有するマルチエリアハンディ移動管理室親機とを備えた構成のものが知られている（例えば、特許文献１）。
【０００３】
このような構成の集合住宅インターホンシステムによれば、マルチエリアハンディ移動管理室親機に管理室親機と同等の機能をもたせることによって、居室機（居室親機）および集合玄関から管理人への通話が可能となり、緊急時においてすばやく対応することができる。
【０００４】
【特許文献１】特開平９−２３３２０２号公報  （段落番号「００１２」、「００２８」、図１）
【発明の開示】
【発明が解決しようとする課題】
【０００５】
しかしながら、このような構成の集合住宅インターホンシステムにおいては、管理室親機から特定の居室親機を呼び出す場合、呼出先の居室番号等をテンキーで選択操作しなければならないので、呼出操作が面倒であり、また、特定の居室親機から管理室親機が呼び出しを受けた場合、何れの居室親機から呼び出しを受けたのかを視覚的に把握できず、さらに、住居人が留守の場合においては、集合玄関機からの呼び出しが受け付けられず、このため来訪者は管理人等に所望の要件を伝えることができないという難点があった。
【０００６】
本発明は、上述の難点を解消するためになされたもので、管理室親機において、集合住宅のレイアウトにしたがって住居人情報を表示することで、特定の居室親機を呼び出す場合や特定の居室親機から呼び出しを受けた場合に当該居室親機を容易に把握でき、また、住居人が留守の場合に管理室親機で代理応答することができる集合住宅インターホンシステムを提供することを目的としている。
【課題を解決するための手段】
【０００７】
このような目的を達成するため、本発明の第１の態様である集合住宅インターホンシステムは、集合住宅の集合玄関に設置される集合玄関機と、集合住宅の居室に設置され集合玄関機からの呼出に応答して通話を行なう居室親機と、集合住宅の管理室に設置され居室親機と呼出、通話を行なう管理室親機と、集合玄関機、居室親機、管理室親機を制御する制御機とを備え、制御機には、居室の部屋番号、代表住居人名等の住居人情報が記憶されるメモリを備え、管理室親機は、住居人情報を居室単位で表示するディスプレイと、管理人が呼び出したい住居人情報を選択操作するタッチパネルとを備え、制御機は、管理室親機でハンドセットアップ等の所定の操作を行なうことにより選択操作を行なった居室親機を呼び出すＣＰＵを備えたものである。
【０００８】
本発明の第２の態様は、第１の態様である集合住宅インターホンシステムにおいて、管理室親機は、タッチパネルによる選択操作を行なった場合または居室親機から呼び出された場合に、選択操作を行なった居室親機または呼出操作が行なわれた居室親機の住居人情報を色表示、点滅表示、ポップアップ表示等によりディスプレイ上に識別可能に表示するものである。
【０００９】
本発明の第３の態様は、第１の態様または第２の態様である集合住宅インターホンシステムにおいて、住居人情報は、集合住宅のレイアウトにしたがって表示されるものである。
【００１０】
本発明の第４の態様は、第１の態様乃至第３の態様の何れかの態様である集合住宅インターホンシステムにおいて、管理室親機は、タッチパネルによる選択操作を行なった場合または居室親機から呼び出された場合に、さらに詳細表示操作を行なうことにより居室親機にて予め入力された緊急連絡先等の詳細情報を表示させるものである。
【００１１】
本発明の第５の態様は、第１の態様乃至第４の態様の何れかの態様である集合住宅インターホンシステムにおいて、居室親機にて外出情報が入力された場合または施錠等の外出操作がされた場合に、外出期間中はディスプレイ上で表示されている住居人情報に追加表示されるものである。
【００１２】
本発明の第６の態様は、第４の態様または第５の態様である集合住宅インターホンシステムにおいて、詳細情報が入力された場合に、ディスプレイ上で表示されている住居人情報に詳細情報がある旨を視認させる追加表示がなされるものである。
【００１３】
本発明の第７の態様は、第４の態様乃至第６の態様の何れかの態様である集合住宅インターホンシステムにおいて、制御機は、外出情報が入力された場合または施錠等の外出操作がされた場合に、集合玄関機からの呼出を検出することで外出していると判断し、管理室親機若しくは予め定められた１つの居室親機に呼出を転送する制御を行なうものである。
【００１４】
本発明の第８の態様は、第７の態様である集合住宅インターホンシステムにおいて、管理室親機は、転送呼出の場合に、呼出先の住居人情報を表示するとともに、集合玄関機からの呼出転送である旨を表示するものである。
【００１５】
本発明の第９の態様は、第１の態様乃至第８の態様の何れかの態様である集合住宅インターホンシステムにおいて、居室親機には、火災センサ等のセキュリティセンサが接続され、セキュリティセンサが異常を検出したときには、居室親機から管理室親機に移報出力され、管理室親機は、居室親機のセキュリティセンサが異常を検出したことを住居人情報とあわせて表示するものである。
【００１６】
本発明の第１０の態様である集合住宅インターホンシステムは、各棟の集合住宅の集合玄関に設置される集合玄関機と、集合住宅の居室に設置され集合玄関機からの呼出に応答して通話を行なう居室親機と、集合玄関機、居室親機を制御する制御機と、制御機に接続され各棟の集合玄関機、居室親機、制御機を制御する集中制御機と、集中制御機に接続される集中管理室親機とを備え、集中管理室親機は、全住戸の住居人情報を各棟毎に表示するディスプレイを備えるものである。
【００１７】
本発明の第１１の態様は、第１０の態様である集合住宅インターホンシステムにおいて、居室親機で前記外出情報が入力された場合または施錠等の外出操作がされた場合に、集中制御機は、集合玄関機からの呼出を検出することで外出していると判断し、集中管理室親機若しくは予め定められた１つの居室親機に呼び出しを転送する制御を行なうものである。
【００１８】
本発明の第１２の態様は、第１０の態様または第１１の態様である集合住宅インターホンシステムにおいて、集中管理室親機は、転送呼出の場合に、呼出先の住居人情報を表示するとともに、集合玄関機からの呼出転送である旨を表示するものである。
【００１９】
本発明の第１３の態様は、第３の態様乃至第１２の態様の何れかの態様である集合住宅インターホンシステムにおいて、非常階段、屋上入り口等の所定場所に人感センサを備え、人感センサが感知したときに、管理室親機または集中管理室親機に表示される集合住宅のレイアウトで感知した場所を視認可能に表示するものである。
【００２０】
本発明の第１４の態様は、第３の態様乃至第１３の態様の何れかの態様である集合住宅インターホンシステムにおいて、非常階段、屋上入り口等の所定場所に監視カメラを備え、人感センサが感知したとき、または集合住宅のレイアウトのうち監視カメラが備えられた設置場所をタッチ操作することで監視カメラの映像が表示されるものである。
【発明の効果】
【００２１】
本発明の第１の態様乃至第１４の態様の集合住宅インターホンシステムによれば、第1に、管理室親機若しくは集中管理室親機のディスプレイに住居人情報、詳細情報および外出情報等が居室単位で表示され、または集合住宅のレイアウトにしたがって表示されることから、管理室親機若しくは集中管理室親機においてタッチパネルによる選択操作を行なった場合または居室親機から呼び出しを受けた場合に、選択操作を行なった居室親機または呼出操作が行なわれた居室親機の住居人情報を迅速に識別することができ、第２に、居室親機に接続されたセキュリティセンサが異常を検出したときには、管理室親機若しくは集中管理室親機のディスプレイに、住居人情報とあわせて居室親機のセキュリティセンサが異常を検出したことを表示できることから、管理室親機若しくは集中管理室親機において当該居室親機が設置された居室の異常を迅速に把握することができ、第３に、所定場所に設置した監視カメラや人感センサが異常を感知した場合には、集合住宅のレイアウトのうち監視カメラが備えられた設置場所をタッチ操作することで監視カメラの映像を瞬時に表示させることができ、第４に、住居人の留守中に来訪者があった場合、集合玄関機からの呼び出しが管理室親機若しくは集中管理室親機に転送されるとともに、呼出先の住居人情報が表示されることから、管理室親機若しくは集中管理室親機において代理応答することができる。
【発明を実施するための最良の形態】
【００２２】
以下、本発明の集合住宅インターホンシステムを適用した好ましい実施の形態例について、図面を参照して詳述する。
［実施例１］
図１は、本発明の第１の実施例における集合住宅インターホンシステムのシステム構成図を示している。同図において、本発明の集合住宅インターホンシステムは、集合住宅の集合玄関に設置される集合玄関機１と、集合住宅の居室に設置され集合玄関機１からの呼出に応答して通話を行なうことができ、セキュリティセンサ５が接続される居室親機３と、集合住宅の管理室に設置され居室親機３、集合玄関機１と呼出、通話を行なう管理室親機４と、集合玄関機１、居室親機３、管理室親機４を制御する制御機２と、非常階段、屋上入り口等の所定場所に設置された人感センサ９と、非常階段、屋上入り口等の所定場所に設置された監視カメラ１０とを備えている。ここで、制御機２は第１の伝送路Ｌ１を介して集合玄関機１に、第２の伝送路Ｌ２を介して各居室親機３に、第３の伝送路Ｌ３を介して管理室親機４に、第４の伝送路Ｌ４を介して人感センサ９に、第５の伝送路Ｌ５を介して監視カメラ１０にそれぞれ接続されている。
【００２３】
制御機２は、居室の部屋番号、代表住居人名等の住居人情報が記憶されるメモリ２１と、管理室親機４でハンドセットアップ等の所定の操作を行なうことにより選択操作を行なった居室親機３を呼び出すＣＰＵ２２とを備えている。
【００２４】
管理室親機４は、住居人情報を居室単位で表示するディスプレイ４１と、管理人が呼び出したい住居人情報を選択操作するタッチパネル４２とを備えている。
【００２５】
なお、集合玄関機１、居室親機３および管理室親機４はそれぞれ通話機能を有し、各種の設定操作や選択操作が可能な機能を備えている。
【００２６】
図２は、管理室親機４のディスプレイ４１に表示された画面を示しており、当該ディスプレイ４１には、後述するように制御機２のメモリ２１に記憶された住居人情報のうち、少なくとも部屋番号、代表住居人名の住居人情報が居室単位でかつ集合住宅のレイアウトにしたがって表示されている。また、当該住居人情報は、各居室ごとに割り当てられる住居人領域に表示され、空部屋は空欄で表示されている。さらに、ＥＶ（エレベータホール）、非常階段、共用施設などの情報も集合住宅のレイアウトに従って表示されている。
【００２７】
次に、このように構成された本発明の集合住宅インターホンシステムの動作について説明する。なお、（１）集合住宅の共同玄関に居る来訪者が、例えば３０１号室内の住居人である山田太郎（以下「第1の住居人」という。）を呼び出すために、集合玄関機１の呼出操作部（不図示）で３０１号室に設置された居室親機（以下「第１の居室親機」という。）３に予め割り当てられている居室番号（以下「第１の居室番号」という。）を選択し、呼出ボタン（不図示）を押下すると、呼出相手先情報（第１の居室番号）を含有する呼出信号が第１の伝送路Ｌ１を介して制御機２のＣＰＵ２２へ伝送される点、（２）かかる呼出信号がＣＰＵ２２で検出されると、呼出相手先情報を含有する制御信号が出力され、この制御信号が第２の伝送路Ｌ２を介して第１の居室親機３へ伝送される点、（３）第１の居室親機３において、制御信号に含有されている呼出相手先情報（第１の居室番号）と予め自端末に割当てられている居室番号との一致が識別されると、第１の居室親機のスピーカ（不図示）から呼出音が放音され第１の住居人に対して来訪者からの呼び出しが報知される点、（４）来訪者からの呼び出しを確認した第１の住居人がハンドセット（不図示）などを取上げて応答操作を行なうと、第２の伝送路Ｌ２、制御機２および第１の伝送路Ｌ１を介して第１の居室親機３の通話機能と集合玄関機１の通話機能との間に通話ラインが形成される点、（５）集合玄関機１のカメラ１３で撮像された来訪者の映像信号が第１の伝送路Ｌ１、制御機２および第２の伝送路Ｌ２を介して第１の居室親機３へ伝送され、第１の居室親機３のモニタ（不図示）に来客者の映像が映し出される点は、従来の集合住宅インターホンシステムと同様であることから詳細な説明を省略し、ここでは、管理室親機４のディスプレイ４１に、住居人情報、詳細情報、外出情報等を表示させる動作等を中心に説明する。
【００２８】
まず、制御機２のメモリ２１には、部屋番号、代表住居人名が関連付けて作成されたテーブルが保存されている。なお、このメモリ２１には、さらに在／不在情報や外出期間等の詳細情報、宅配の有無の情報等の各種情報も部屋番号や代表住居人名と関連付けて作成されたテーブルも保存することができる。
【００２９】
［実施例１］
最初に、管理人が例えば第１の住居人（「３０１」号室の「山田太郎」）を呼び出す場合について説明する。
【００３０】
先ず、管理人が、管理室親機４のタッチパネル４２を用いて、集合住宅のレイアウトにしたがってディプレイ４１に表示された「３０１号室」の「山田太郎」をタッチ操作すると、ディプレイ４１の第１の居室親機３の住居人情報（３０１号室の部屋番号、代表住居人の山田太郎）が色表示若しくは点滅表示する。また、それとあわせて当該住居人情報がポップアップ表示される。
【００３１】
ここで、管理人がハンドセットアップ等の所定の操作をすると、管理室親機４から第１の居室番号を含有する呼出信号が第３の伝送路Ｌ３、制御機２および第２の伝送路Ｌ２を介して第１の居室親機３へ伝送され、第１の居室親機のスピーカ（不図示）から呼出音が鳴動する。これにより、管理人から第１の住居人に対して呼び出しが行なわれる。
【００３２】
この場合、第1の住居人が第1の居室親機３の操作により外出設定していれば、外出中と認識され、図２（ｂ）に示すように、ディプレイ４１上に「外出情報」を表示することができ、また、詳細情報がある場合には、「詳細情報有り」のアイコンを表示しておき、当該アイコンをタッチ操作することで、図２（ｃ）に示すように、外出期間等や第1の住居人からのメッセージ等の詳細情報を表示させることもできる。
【００３３】
次に、第1の住居人から管理人を呼び出す場合について説明する。
【００３４】
例えば、第1の住居人（山田太郎）が第１の居室親機３のタッチパネル（不図示）の所定部分をタッチ操作すると、第１の居室親機３から、第１の居室親機３のアドレスを含有する呼出信号が第２の伝送路Ｌ２、制御機２および第３の伝送路Ｌ３を介して管理室親機４へ伝送される。かかる呼出信号が管理室親機４で検出されると、図２（ｂ）に示すように、管理室親機４のディスプレイ４１に表示された住居人情報のうち「３０１」号室の「山田太郎」の住居人情報が色表示若しくは点滅表示する。また、それとあわせて当該住居人情報がポップアップ表示され、さらに、管理室親機４のスピーカ（不図示）から呼出音が鳴動する。これにより、管理人において、第１の住居人から呼び出しが行なわれていることが瞬時に把握される。
【００３５】
次に、来訪者から例えば留守中の第１の住居人に対して呼び出しが行なわれた場合について説明する。
【００３６】
例えば、第１の住居人が第１の居室親機３において、外出設定をするとともに外出期間の詳細情報を入力すると、第１の居室親機３から第１の居室親機３のアドレスを含有する外出設定情報および外出期間の詳細情報が第２の伝送路Ｌ２を介して制御機２へ伝送され、かかる外出設定情報および外出期間の詳細情報がＣＰＵ２２で検出されると、ＣＰＵ２２の制御により、これらの外出設定情報および外出期間の詳細情報がメモリ２１に記憶される。
【００３７】
このような状態において、来訪者が集合玄関機１から留守中の第1の居室親機３に対して呼出操作を行なと、第１の居室番号を含有する呼出信号が第１の伝送路Ｌ１を介して制御機２へ伝送され、かかる呼出信号がＣＰＵ２２で検出されると、制御機２において、第1の居室親機３に係る第1の住居人（山田太郎）が留守であることが検出されるとともに、第１の居室番号を含有する転送信号が第３の伝送路Ｌ３を介して管理室親機４へ転送される。
【００３８】
かかる転送信号が管理室親機４で検出されると、前述のように、管理室親機４のディスプレイ４１に表示された住居人情報のうち「３０１」号室の「山田太郎」の住居人情報が色表示若しくは点滅表示する。また、それとあわせて当該住居人情報がポップアップ表示され、さらに、管理室親機４のスピーカから呼出音が鳴動する。また、これとともに、ディスプレイ４１上の「転送」および「外出情報」の表示部が色表示若しくは点滅表示することで、かかる呼び出しが集合玄関機１からの「呼出転送」である旨や「外出情報」がある旨が表示され、ここで、管理人がディプレイ４１上の「詳細情報有り」のアイコンをタッチ操作することで、図２（ｃ）に示すように、第1の住居人が「２００４／８／１〜２００４／８／１５」の期間中「外出」である旨の詳細情報が表示される。これにより、管理人は、留守中に訪れた来訪者に対して適切な代理応答することができる。
【００３９】
次に、セキュリティセンサ５が作動した場合について説明する。
【００４０】
例えば、第１の居室親機３に接続されたセキュリティセンサ(以下[第１のセキュリティセンサ]という。)５が作動すると、第１の居室親機３から第１のアドレスを含有するセキュリティセンサ信号が第２の伝送路Ｌ２を介して制御機２へ伝送され、かかるセキュリティセンサ信号がＣＰＵ２２で検出されると、第１のセキュリティセンサ５が作動した旨の信号(以下「セキュリティセンサ作動信号」という。)が第３の伝送路Ｌ３を介して管理室親機４へ伝送される。
【００４１】
かかるセキュリティセンサ作動信号が管理室親機４で検出されると、管理室親機４のディスプレイ４１に第1の住居人の住居人情報が色表示若しくは点滅表示する。また、それとあわせて当該住居人情報がポップアップ表示され、さらに、スピーカから警報音が鳴動する。また、これとともに、ディスプレイ４１上の「異常」の表示部が色表示若しくは点滅表示することで、火災等が発生した旨を瞬時に把握することができる。
【００４２】
次に、人感センサ９が作動した場合について説明する。
【００４３】
例えば、各階の非常階段に設置された人感センサ９のうち、５階に設置された人感センサ（以下「第1の人感センサ」という。）９が作動すると、第1の人感センサ９のアドレスを含有する人感センサ信号が第４の伝送路Ｌ４を介して制御機２へ伝送され、かかる人感センサ信号がＣＰＵ２２で検出されると、第1の人感センサ９が作動した旨の信号(以下「人感センサ作動信号」という。)が第３の伝送路Ｌ３を介して管理室親機４へ伝送される。
【００４４】
かかる人感センサ作動信号が管理室親機４で検出されると、管理室親機４のディスプレイ４１に集合住宅のレイアウトにしたがって表示された「５階非常階段」が色表示若しくは点滅表示する。また、それとあわせて当該非常階段がポップアップ表示され、さらに、スピーカから警報音が鳴動する。これにより、立ち入り禁止区域の５階の非常階段の近傍に不審者が居ることが視覚的に容易に把握することができる。この場合、ディスプレイ４１上の集合住宅のレイアウトのうち、監視カメラ１０が設置された場所をタッチ操作することで、例えば、図２（ｄ）に示すように、監視カメラ１０で撮像された不審者の映像をディスプレイ４１に同時に表示させることができ、これにより、防犯性を向上させることができる。
［実施例２］
図３は、本発明の第２の実施例における多棟システム型の集合住宅インターホンシステムのシステム構成図を示している。なお、同図において、図１と共通する部分には同一の符号を付して詳細な説明を省略する。
【００４５】
図３において、本発明の第２の実施例における集合住宅インターホンシステムは、例えばＡ棟、Ｂ棟、Ｃ棟の各棟にそれぞれ構築された図１に示す集合住宅インターホンシステムと、集合住宅の総合玄関等に設置される集中集合玄関機６と、総合玄関等の近傍等に設置され全棟を管理する集中管理室親機８と、総合玄関等の近傍等に設置され全棟を制御する集中制御機７とを備えている。ここで、各棟に設置された制御機２は第６の伝送路Ｌ６を介して集中制御機７に接続され、集中制御機７には第７の伝送路Ｌ７を介して集中集合玄関機６が、第８の伝送路Ｌ８を介して集中管理室親機８がそれぞれ接続されている。
【００４６】
集中制御機７は、居室親機３で外出情報が入力された場合または施錠等の外出操作がされた場合に、集合玄関機１からの呼び出しを検出し、外出していると判断し、集中管理室親機８若しくは予め定められた１つの居室親機３に呼び出しを転送する制御を行なう。
【００４７】
集中管理室親機８は、全住戸の住居人情報を各棟毎に表示するディスプレイ８１と、管理人が呼び出したい住居人情報を選択操作するタッチパネル８２とを備えている。
【００４８】
なお、集中集合玄関機６および集中管理室親機８はそれぞれ通話機能を有し、各種設定操作や選択操作に使用されるタッチパネルを備えている。また、集中管理室親機８は、前述の転送呼出の場合に、呼出先の住居人情報を表示するとともに、集合玄関機１からの呼出転送である旨を表示する。
【００４９】
この実施例においても、集中制御機７において、各棟に設置された集合玄関機１、居室親機３および制御機２が制御され、また、集中管理室親機８において、全住戸の住居人情報を各棟毎に表示するディスプレイ８１を備えることから、居室親機３で前述のような外出情報が入力された場合または施錠等の外出操作がされた場合に、集中制御機７において、集合玄関機１からの呼出を検出することで外出していると判断され、集中管理室親機８若しくは予め定められた１つの居室親機３に呼び出しを転送する制御を行なうことができ、また、転送呼出の場合には、集中管理室親機８のディプレイ８１に、呼出先の住居人情報を表示するとともに、集合玄関機１からの呼出転送である旨を表示させることができる。
さらに、人感センサ９が感知した場合には、集中管理室親機８に表示される集合住宅のレイアウトで感知した場所を視認可能に表示させることができ、さらに、人感センサ９が感知したとき、集合住宅のレイアウトのうち監視カメラ１０が設置された場所をタッチ操作することで監視カメラ１０の映像を表示させることができる。
【産業上の利用可能性】
【００５０】
本発明は、特許請求の範囲内で、次のように、変更、修正を加えることができる。
【００５１】
第１に、前述の実施例においては、住居人情報や非常階段等を色表示若しくは点滅表示させるとともに、それとあわせてポップアップ表示しているが、色表示、点滅表示およびポップアップ表示の何れか一つの表示で識別してもよい。
【００５２】
第２に、前述の実施例においては、来訪者が留守中の住居人を呼び出した場合、管理室親機４のスピーカのみから呼出音を鳴動させているが、管理室親機４のスピーカのみならず、呼出先の居室親機３のスピーカからも呼出音を鳴動させてもよい。
【００５３】
第３に、前述の実施例においては、管理室親機４のディスプレイ４１上に、全ての階を１画面で表示しているが、各階ごとに表示し、切替ボタンでディスプレイ４１上の表示を切り替えるようにしてもよい。
【００５４】
第４に、メモリ２１は制御機２に設けるものに限定されず、管理室親機４または集中管理室親機８に設けてもよい。
【図面の簡単な説明】
【００５５】
【図１】本発明の第１の実施例における集合住宅インターホンシステムのシステム構成図。
【図２】本発明の集合住宅インターホンシステムにおける管理室親機のディスプレイの表示状態を示す説明図。
【図３】本発明の第２の実施例における集合住宅インターホンシステムのシステム構成図。
【符号の説明】
【００５６】
１・・・集合玄関機
２・・・制御機
２１・・・メモリ
２２・・・ＣＰＵ
３・・・居室親機
４・・・管理室親機
４１・・・ディスプレイ
４２・・・タッチパネル
５・・・セキュリティセンサ
７・・・集中制御機
８・・・集中管理室親機
８１・・・ディスプレイ
９・・人感センサ
１０・・・監視カメラ
【図１】
2006101328.tif 000003
【図２】
2006101328.tif 000004
【図３】
2006101328.tif 000005